(57)【特許請求の範囲】
【請求項１】
主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水管と固定された接続部、を介して二重吐水管と吐水ヘッドとを接続したことを特徴とする二重吐水管の吐水ヘッドの取付構造。
【請求項２】
主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、
二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水ヘッドと固定されるとともに二重吐水管の先端部に固着された別体の継手部材、を介して二重吐水管と吐水ヘッドとを接続し、該継手部材の主連通路と、主吐出口に連通して吐水ヘッドに設けられた主吐出口側流路とを、互いに挿嵌接続すると共に、継手部材の副連通路と、副吐出口に連通して吐水ヘッドに設けられた副吐出口側流路とを、互いに挿嵌接続したことを特徴とする二重吐水管の吐水ヘッドの取付構造。
【請求項３】
主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、
二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水ヘッドと固定されるとともに二重吐水管の先端部に固着された別体の継手部材、を介して二重吐水管と吐水ヘッドとを接続し、該継手部材の主連通路と、主吐出口に連通して吐水ヘッドに設けられた主吐出口側流路とを、互いに挿嵌接続すると共に、継手部材の副連通路と、副吐出口に連通して吐水ヘッドに設けられた副吐出口側流路とを、互いに挿嵌接続し、
吐水ヘッドの副吐出口側流路に、吐水ヘッドとは別体に形成され、継手部材の副連通路に挿嵌接続され、固定用ネジにより継手部材が固定されるスリーブを固着したことを特徴とする二重吐水管の吐水ヘッドの取付構造。
【発明の詳細な説明】
【０００１】
【発明の属する技術分野】
本各発明は、吐水管本体内の主流路を形成する外管の内側に、独立した副流路を形成する内管を備える二重吐水管の先端部に吐水ヘッドを取り付ける二重吐水管の吐水ヘッドの取付構造に関する。
【０００２】
【従来の技術】
従来、浄水器などを用い水道水などと同じ吐水口やシャワーヘッド等の吐水ヘッドから浄水等を吐水させる水栓において、例えば、浄水器を吐水管から離れた位置に配設し、水栓本体からの水を導管を通じて浄水器に導き浄化したうえ再び水栓本体に戻し、吐水管を通じてその先端部の吐水ヘッドより吐水させる、いわゆるビルトインタイプの浄水器が用いられている。この場合において、いったん浄化された浄水が、水道水と混じり合わないようにするため、吐水管本体の外管内に、浄水器にて浄化した浄水のみを独立して吐水管に通す内管を備えた二重吐水管により水道水及び浄水を導くことが行われていた。
【０００３】
このような二重吐水管は、従来鋳造品であり、その先端部に、吐水ヘッドを取り付けるための複雑な加工（例えば、主流路及ぴ副流路の２つの流路をシール接続するための高精度な孔加工等）が施されていた。ところが、このような二重吐水管を例えば銅パイプ等の薄肉の管材等により形成しようとすると、先端部に複雑な加工を施こすことが困難であり、簡単な構造で吐水ヘッドを取り付けることが困難であった。また、二重吐水管の内部の内管は遊動状態であり、これを確実に接続固定するためには、例えば別の部品を二重吐水管内に装着する必要があり、このため部品点数が多くなり、全体をコンパクトに収めることもできず、また製造費用も嵩むという問題を生じていた。
【０００４】
【発明が解決しようとする課題】
本発明の請求項１に記載の発明は、上記した問題点を解決するものであり、銅パイプ等の薄肉の管材等により形成された二重吐水管に簡易かつ確実に吐水ヘッドを取付可能な二重吐水管の吐水ヘッドの取付構造を提供することにある。また他の目的は、吐水ヘッド側と接続されていない状態では遊動状態にある内管を、簡易かつ確実に吐水ヘッド側に固定することにある。
【０００５】
本発明の請求項２に記載の発明は、請求項１に記載の発明において接続部を別体の継手部材とすることにより、上記した請求項１に記載の発明の目的に加えて、二重吐水管の形状に変更を加えることなく、継手部材の吐水ヘッド側の挿嵌形状を変更するだけで、従来の吐水ヘッドを取り付けることができ、汎用性に優れる二重吐水管の吐水ヘッドの取付構造を提供することにある。
【０００６】
さらに本発明の請求項３に記載の発明は、上記した請求項２に記載の発明と同様に、上記した請求項１に記載の発明の目的に加えて、二重吐水管の形状に変更を加えることなく、継手部材の吐水ヘッド側の挿嵌形状を変更するだけで、従来の吐水ヘッドを取り付けることができ、汎用性に優れる二重吐水管の吐水ヘッドの取付構造を提供することにある。
【０００７】
【課題を解決するための手段】
本発明の請求項１に記載の二重吐水管の吐水ヘッドの取付構造は、主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水管と固定された接続部、を介して二重吐水管と吐水ヘッドとを接続したことを特徴とするものである。この手段を採用することにより、簡易かつ確実に二重吐水管と吐水ヘッドとを接続できると共に、内管を安定して吐水ヘッド側に固定できる。
【０００８】
本発明の請求項２に記載の二重吐水管の吐水ヘッドの取付構造は、主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、
二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水ヘッドと固定されるとともに二重吐水管の先端部に固着された別体の継手部材、を介して二重吐水管と吐水ヘッドとを接続し、該継手部材の主連通路と、主吐出口に連通して吐水ヘッドに設けられた主吐出口側流路とを、互いに挿嵌接続すると共に、継手部材の副連通路と、副吐出口に連通して吐水ヘッドに設けられた副吐出口側流路とを、互いに挿嵌接続したことを特徴とするものである。接続部を吐水ヘッドとは別体の継ぎ手部材とすることにより、吐水ヘッドとの接続部分の形状を変更するだけで、二重吐水管を変更することなく、従来の吐水ヘッドを接続することができる。
【０００９】
本発明の請求項３に記載の二重吐水管の吐水ヘッドの取付構造は、主流路を形成する外管と該外管内に設けられ副流路を形成する内管とを有する二重吐水管の先端部に、前記主流路に連通する主吐出口と前記副流路に連通する副吐出口とを有する吐水ヘッドを取り付ける二重吐水管の吐水ヘッドの取付構造であって、
二重吐水管側の端面に各々開口された前記主吐出口に連通する主連通路と前記副吐出口に連通する副連通路とを有し、該副連通路に前記内管が挿入接続され、外周部位に前記外管が外嵌接続され、固定用ネジを介して吐水ヘッドと固定されるとともに二重吐水管の先端部に固着された別体の継手部材、を介して二重吐水管と吐水ヘッドとを接続し、該継手部材の主連通路と、主吐出口に連通して吐水ヘッドに設けられた主吐出口側流路とを、互いに挿嵌接続すると共に、継手部材の副連通路と、副吐出口に連通して吐水ヘッドに設けられた副吐出口側流路とを、互いに挿嵌接続し、
吐水ヘッドの副吐出口側流路に、吐水ヘッドとは別体に形成され、継手部材の副連通路に挿嵌接続され、固定用ネジにより継手部材が固定されるスリーブを固着したことを特徴とするものである。
【００１０】
【発明の実施の形態】
本発明の実施の形態を図面を参照して説明する。図１は、本発明の第一の実施の形態の二重吐水管の吐水ヘッドの取付構造の要部断面図である。図２は、請求項１及び請求項２の発明に係る別の実施の形態の、二重吐水管の吐水ヘッドの取付構造の要部断面図である。図３は、請求項１の発明に係る別の実施の形態の、二重吐水管の吐水ヘッドの取付構造の要部断面図である。
【００１１】
図１を参照して説明すると、本実施の形態にかかる二重吐水管の吐水ヘッドの取付構造１は、水栓本体（図示省略）に延出された吐水管１０の先端部に吐水ヘッド３０を取り付けるものである。尚、本例においては、吐水ヘッド３０として、吐水管１０の主流路１３からの水道水等についてはストレート状或いはシャワー状に吐水形態を切り換え可能な主吐出口３１と、副流路１４からの浄水等についてはストレート状に吐水する副吐出口３２とを有するシャワーヘッドを採用している。
【００１２】
吐水管１０は銅合金製のものであり、その内側には、浄水器（図示省略）で浄化された浄水を独立して流通させるための内管１１が挿入して設けられており、外管１２と内管１１の間に形成される主流路１３とは独立した副流路１４を形成している。吐水管１０は、吐水ヘッド３０の使用の利便性を図るため、吐水ヘッド３０近辺において、やや下方に屈曲して設けられており、このため内側の内管１１も同様に屈曲して設けられている。
【００１３】
吐水ヘッド３０は、水道水又は浄水を選択的に吐出することができるものであり、水道水を吐出させる、主吐出口としての水道水吐出口３１と、浄水を吐出させる、副吐出口としての浄水吐出口３２をそれぞれ本体の下方部に備えている。吐水ヘッド３０には、この水道水吐出口３１に連通し、吐水ヘッド３０の基端部から水道水吐出口３１に連通して穿設された、主吐出口側流路としての水道水流路３３と、同じく基端部から浄水吐出口３２に連通して穿設された、副吐出口側流路としての浄水流路３４とが設けられている。
【００１４】
そして、水道水流路３３の基端部側には、継手部材４０の円孔部４４に嵌装するための挿入部３５が設けられ、さらに浄水流路３４の基端部側には、スリーブ５０を螺入するための螺入口３６が設けられている。
【００１５】
外管１２の先端の開口部内には、嵌挿部４１を介して銅合金製の略円筒状の継手部材４０が嵌挿されている。嵌挿部４１は、継手部材４０の外周方向に設けられた段部４２にかけて、その先端側よりもわずかに外径が細く設けられており、段部４２に当接する位置まで外管１２が嵌挿されて鑞付けされている。また、継手部材４０には主流路１３に連通する主連通路４６が穿設されており、さらに、挿入孔４３が穿設され、これに内管１１が挿入されて鑞付けされている。
【００１６】
継手部材４０の先端側には、円孔部４４が設けられ、これに吐水ヘッド３０の基端側に設けられた円筒状の挿入部３５が嵌挿されており、挿入部３５の外周面に嵌装されたＯリング３７により水密性が確保されている。さらに、継手部材４０の先端側には、スリーブ５０が嵌挿される円孔部４５が設けられている。円孔部４４は、継手部材側に限られず吐水ヘッド３０側に設けることとして、継手部材４０側に挿入部を設けて吐水ヘッド３０側に嵌挿することとしてもよいが、吐水ヘッド３０側に加工を加えず継手部材４０側の加工だけで済むため継手部材４０側に円孔部４４を設けることが好ましい。
【００１７】
スリーブ５０は、この円孔部４５に嵌挿されると共に、その先端側において、吐水ヘッド３０の螺入口３６に螺入されている。スリーブ５０の外周面には、円孔部４５の内周面と接する部位、及び螺入口３６の上方の内周面と接する部位において、水密性を確保するためのＯリング５３が嵌装されている。さらにスリーブの略中央部外周には環状の溝５４が設けられており、継手部材４０に設けられたネジ孔４７に螺入された固定用ネジ５５がこの溝５４に嵌合されることによりスリーブ５０と継手部材４０が固定されている。溝５４は、副連通路５２に貫通しておらず、さらにスリーブ５０の外周部は、固定用ネジ５５の上流側及び下流側がＯリング５３によりシールされているので、固定用ネジ５５においてはシールの必要がない。
【００１８】
スリーブ５０には、内管１１の先端部が嵌挿される内管挿入孔５１が設けられており、さらにこの挿入孔５１に連通する副連通路５２が穿設されている。そして、副連通路５２は、吐水ヘッド３０の螺入口３６の奥端部にて開口する浄水流路３４に連通して接続されている。
【００１９】
このように構成された二重吐水管の吐水ヘッドの取付構造１において、通常の水道水は、吐水管１０の外管１２内の主流路１３から、継手部材４０の主連通路４６を経て吐水ヘッド３０の水道水流路３３に至り、水道水吐出口３１より吐出されることになる。また、浄水器により浄化された浄水は、吐水管１０の内管１１内の副流路１４から、スリーブ５０の副連通路５２を経て吐水ヘッド３０の浄水流路３４に至り、浄水吐出口３２より吐出される。
【００２０】
この二重吐水管の吐水ヘッドの取付構造１は、上記のように構成されているので、外管１２内に内管１１を設けてなる吐水管１０を、水道水又は浄水を選択的に吐出することができる吐水ヘッド３０に接続するにあたり、銅合金製の吐水管１０及び吐水ヘッド３０の形状を変更することなく、簡易かつ確実に取り付けることができる。また、吐水ヘッド３０と接続されていない状態では遊動状態にある内管を簡易かつ確実に固定することができる。
【００２１】
また、継手部材４０も銅合金等の金属製とすることにより、鑞付け等による接着により、吐水管１０と継手部材４０とを簡単・確実にシール接続することができ、さらに、樹脂製の吐水へッド３０に対してはスリーブ５０を螺着等により堅固に取り付けた上で、スリーブ５０に対して継手部材４０を固定用ネジ５５等により堅固に取り付け固定できるので、吐水管１０、継手部材４０、スリーブ５０及び吐水ヘッド３０が一体的に堅固に固定することができる。
【００２２】
なお、上記の構成は一例示にすぎず、本発明はこれに限られるものではない。図２は、請求項１及び請求項２の発明に係る別の実施の形態に係る二重吐水管の吐水ヘッドの取付構造２を示したものであり、本実施の形態は、上記の実施の形態におけるスリーブ５０を吐水ヘッド３０と一体的に形成した吐水ヘッド６０としたものである。なお、上記の実施の形態に係る二重吐水管の吐水ヘッドの取付構造１と共通する部分については、説明を省略する。
【００２３】
吐水ヘッド６０には、継手部材７０の円孔部７５に挿入接続される挿入部６７が備えられており、この挿入部６７に設けられた固定孔６４に、継手部材７０に設けられたネジ孔４７を貫通するように固定用ネジ５５がねじ込まれ、固定用ネジ５５を介して吐水ヘッド６０と継手部材７０が固定されている。固定用ネジ５５よりも下流側においては、上述したように吐水ヘッド６０が一体的に形成されているので、挿入部６７の外周には固定用ネジ５５の上流側にのみＯリング５３が嵌装され、シールが確保されている。円孔部４４及び円孔部７５は、上述した第一の実施の形態と同様に継手部材側に限られず吐水ヘッド６０側に設けることとして、継手部材７０側に挿入部を設けて吐水ヘッド６０側に嵌挿することとしてもよいが、吐水ヘッド６０側に加工を加えず継手部材７０側の加工だけで済むため継手部材７０側に円孔部４４、７５を設けることが好ましい。
【００２４】
この二重吐水管の吐水ヘッドの取付構造２においては、継手部材７０のみにより、吐水管１０と吐水ヘッド６０の取付が可能であるので、取付の確実性を確保しながら、より一層取付を簡易とすることができる。また、吐水ヘッド３０と接続されていない状態では遊動状態にある内管を簡易かつ確実に固定することができる。
【００２５】
さらに、第一の実施の形態における継手部材４０及びスリーブ５０を吐水ヘッド３０と一体的に形成することも可能である。図３は、請求項１の発明の別の実施の形態に係る二重吐水管の吐水ヘッドの取付構造３を示したものである。なお、二重吐水管の吐水ヘッドの取付構造１又は２と共通する部分については、説明を省略する。吐水ヘッド８０の嵌挿部８１が、吐水管１０に、段部８２に当接する位置まで嵌挿され、また、内管１１が吐水ヘッド８０に設けられた円孔部８５に嵌挿されている。嵌挿部８１の外周には、吐水管１０内周とのシールを確保するＯリング８６が嵌装され、円孔部８５の内周には、内管１１の外周面とのシールを確保するＯリング８７が嵌装されている。この嵌挿部８１に設けられた固定孔８４に、吐水管１０に設けられたネジ孔１７を貫通するように固定用ネジ５５がねじ込まれ、固定用ネジ５５を介して吐水ヘッド８０と吐水管１０が固定されている。本例では、吐水ヘッド８０の基端部分が、吐水管１０の外管１２を外嵌し内管１１を挿入する接続部となっている。
【００２６】
この二重吐水管の吐水ヘッドの取付構造３においては、継手部材を必要とせずに吐水ヘッド８０を吐水管１０に取付できるので、取付の確実性を確保しながら、より一層取付を簡易とすることができる。また、吐水ヘッド３０と接続されていない状態では遊動状態にある内管を、簡易かつ確実に固定することができる。
【００２７】
また、本実施の形態は他の水栓にも応用可能であり、浄水に代えて、アルカリイオン水その他の液を内管１１内に流通させ、吐水ヘッド３０、６０、８０から吐出させてもよい。
【００２８】
【発明の効果】
本発明は上記のように構成されているので以下の効果を有する。
請求項１に記載の発明では、二重吐水管に簡易かつ確実に取付可能な、二重吐水管の吐水ヘッドの取付構造を提供することができる。また、遊動状態にある内管を簡易かつ確実に吐水ヘッド側に固定できる。
請求項２に記載の発明では、上述した効果に加えて、二重吐水管の形状に変更を加えることなく、継手部材の吐水ヘッド側の挿嵌形状を変更するだけで、従来の吐水ヘッドを取り付けることができる。
請求項３に記載の発明では、上述した請求項１の効果に加えて、二重吐水管の形状に変更を加えることなく、継手部材の吐水ヘッド側の挿嵌形状を変更するだけで、従来の吐水ヘッドを取り付けることができる。
【図面の簡単な説明】
【図１】本発明の第一の実施の形態の二重吐水管の吐水ヘッドの取付構造の要部断面図である。
【図２】請求項１及び請求項２の発明に係る別の実施の形態の、二重吐水管の吐水ヘッドの取付構造の要部断面図である。
【図３】請求項１の発明に係る別の実施の形態の、二重吐水管の吐水ヘッドの取付構造の要部断面図である。
【符号の説明】
１，２，３；二重吐水管の吐水ヘッドの取付構造、１０；吐水管、１１；内管、１２；外管、１３；主流路、１４；副流路、１７；ネジ孔、３０；吐水ヘッド、３１；水道水吐出口、３２；浄水吐出口、３３；水道水流路、３４；浄水流路、３５；挿入部、３６；螺入口、３７；Ｏリング、４０；継手部材、４１；嵌挿部、４２；段部、４３；挿入孔、４４；円孔部、４５；円孔部、４６；主連通路、４７；ネジ孔、５０；スリーブ、５１；内管挿入孔、５２；副連通路、５３；Ｏリング、５４；溝、５５；固定用ネジ、６０；吐水ヘッド、６１；嵌挿部、６２；段部、６４；固定孔、６５；円孔部、６７；挿入部、７０；継手部材、７５；円孔部、８０；吐水ヘッド、８１；嵌挿部、８２；段部、８４；固定孔、８５；円孔部、８６，８７；Ｏリング。
【図１】
0003972268.tif 000002
【図２】
0003972268.tif 000003
【図３】
0003972268.tif 000004